(57)【要約】【課題】  ＤＪ用再生システムにおいて、ヘッドホン装置から出力されるオーディオ信号が周囲の音によって聴き取り辛くなった場合でも、再生装置が再生しているオーディオ信号の拍を正確に把握することができるＤＪ用再生システムを提供する。【解決手段】  複数のオーディオ信号をミキシングしたオーディオ信号を出力するミキシング装置と、当該ミキシング装置が出力したオーディオ信号を出力するヘッドホン装置を備えるＤＪ用再生システムにおいて、ミキシング装置は、オーディオ信号及び当該オーディオ信号における拍の位置となるタイミングで拍信号を出力し、ヘッドホン装置は、ミキシング装置から出力されたオーディオ信号を出力するドライバーユニットと、ミキシング装置から出力された拍信号を振動として出力する振動部を備える。【選択図】      図１
2014068100.tif 000002
【特許請求の範囲】
【請求項１】
複数のオーディオ信号をミキシングしたオーディオ信号を出力するミキシング装置と、当該ミキシング装置が出力したオーディオ信号を出力するヘッドホン装置を備えるＤＪ用再生システムにおいて、
前記ミキシング装置は、オーディオ信号及び当該オーディオ信号における拍の位置となるタイミングで拍信号を出力し、
前記ヘッドホン装置は、前記ミキシング装置から出力されたオーディオ信号を出力するドライバーユニットと、前記ミキシング装置から出力された拍信号を振動として出力する振動部を備えることを特徴とするＤＪ用再生システム。
【請求項２】
請求項１記載のＤＪ用再生システムにおいて、
前記ミキシング装置は、第１の再生装置及び第２の再生装置によって再生したオーディオ信号をミキシングし、
前記第１の再生装置は、第１のオーディオ信号及び当該第１のオーディオ信号における拍の位置となるタイミングで第１の拍信号を出力し、
前記第２の再生装置は、第２のオーディオ信号及び当該第２のオーディオ信号における拍の位置となるタイミングで第２の拍信号を出力し、
前記ミキシング装置は、前記第１の再生装置から出力された第１のオーディオ信号及び第１の拍信号を出力すると共に前記第２の再生装置から出力された第２のオーディオ信号及び第２の拍信号を出力し、
前記ヘッドホン装置は、前記ミキシング装置から出力された第１のオーディオ信号及び第２のオーディオ信号をそれぞれ出力するＬｃｈホーン部及びＲｃｈホーン部を備え、
前記Ｌｃｈホーン部及び前記Ｒｃｈホーン部は、前記ミキシング装置から出力された第１の拍信号及び第２の拍信号をそれぞれ振動として出力する振動部を備えることを特徴とするＤＪ用再生システム。
【請求項３】
請求項１または２記載のＤＪ用再生システムにおいて、
前記Ｌｃｈホーン部及び前記Ｒｃｈホーン部は、それぞれフランジ及びヘッドパッドを備え、
前記振動部は、前記フランジに固定されると共に先端部分が前記ヘッドパッド４の表面に近接するように配設されていることを特徴とするＤＪ用再生システム。
【請求項４】
請求項１乃至３のいずれかに記載のＤＪ用再生システムにおいて、
前記ヘッドホン装置は、前記振動部による振動の強さを調節可能な振動調節部を備えることを特徴とするＤＪ用再生システム。
【発明の詳細な説明】
【技術分野】
【０００１】
本発明は、ディスクジョッキー等がヘッドホン装置を装着して再生装置及びミキシング装置を操作してオーディオ信号をミキシングするＤＪ用再生システムに関する。
【背景技術】
【０００２】
従来、ディスコやダンスクラブにおいてディスクジョッキー（ＤＪ）がダンスミュージックを再生する場合に複数の曲を断続的に再生させるために用いられるＤＪ用再生システムが知られている。
【０００３】
従来のＤＪ用再生システムの主な組み合わせとして、再生させる曲のテンポを変化させることが可能なピッチコントロール機能を備える２台のＣＤ（Compact Disc）等から成る再生装置とミキシング装置を用いて、２台の再生装置からそれぞれ出力されたオーディオ信号をミキシング装置に入力し、ミキシング装置を操作して２台の再生装置から入力されたオーディオ信号をミキシングした音源をアンプ装置を介してスピーカから出力するものがある。
【０００４】
前述したＤＪ用再生システムを用いてＤＪがダンスミュージックを再生する通常の操作方法としては、例えば、一方の再生装置で第１の曲を再生中に他方の再生装置にて予め第２の曲の頭出しを行い、第１の曲のテンポと第２の曲のテンポを一致させた状態でミキシング装置に備えるフェーダを操作して第１の曲をフェードアウトさせながら第２の曲をフェードインさせることによって、第１の曲のテンポを保った状態でスピーカから出力されている曲のテンポを一定に保ちながら第１の曲から第２の曲に違和感なく切換える奏法が行われている。
【０００５】
このような従来のＤＪ用再生システムにおいては、例えば、ＤＪがヘッドホン装置を装着した状態でミキシング装置を操作し、一方の再生装置で再生する第１の曲がスピーカから出力されている状態で他方の再生装置で第２の曲の再生を開始し、ヘッドホン装置のＬチャンネル側で第１の曲を聴取すると共にＲチャンネル側で第２の曲を聴取しながら、第２の曲の拍が第１の曲の拍と同じとなるように他方の再生装置のピッチコントロールを操作して第２の曲のテンポを変化させ、第２の曲のテンポを第１の曲のテンポに一致させた後、ミキシング装置のフェーダを操作してスピーカから出力している第１の曲をフェードアウトさせながら第２の曲をフェードインさせることによって、第１の曲のテンポを保った状態で第２の曲に切換える。このように、ＤＪは、ヘッドホン装置で現在スピーカから出力している曲とこれから切換えようとする曲をヘッドホン装置で聞きながら、２台の再生装置のピッチコントロールを操作することによって、曲のテンポを一定に保った状態で再生する曲を次々に切換えて断続的に再生する。
【０００６】
前述したように、ＤＪが２台の再生装置とミキシング装置を操作して一定の拍を保った状態で複数の曲を断続的に再生するためには、ヘッドホン装置のＬチャンネル側及びＲチャンネル側からそれぞれ第１の曲及び第２の曲を聴取しながら、第２の曲の拍と第１の曲の拍が合うように再生装置のピッチコントロールを操作する必要があるため、ＤＪにとっては、ヘッドホン装置から再生される曲のそれぞれの曲の拍を正確に把握する必要があるため、高度な技術と熟練した経験が必要となる。
【０００７】
従来のＤＪ用再生システムにおいては、再生している曲の単位時間当たりの拍数（ＢＰＭ：Beat Per Minute）を表示することができる再生装置が知られている（例えば、特許文献１参照）。
【０００８】
【特許文献１】特開平８−２０１５４２号公報
【発明の開示】
【発明が解決しようとする課題】
【０００９】
ＤＪが複数の曲を断続的に再生する場合は、再生中の曲のテンポとこれから切換えて再生する曲のテンポがズレてしまうのを防止するために、再生中の曲の拍のタイミングとこれから切換えて再生する曲の拍のタイミングを合致させる必要がある。このため、前述したような曲のＢＰＭを表示する再生装置を用いた場合でも、再生中の曲の拍のタイミングと、これから切換えて再生する曲の拍のタイミングを合致させるためには、ヘッドホン装置によって第１の曲と第２の曲の双方を聞きながら、それぞれの曲の拍のタイミングが同じとなるように再生装置のピッチコントロールを調整する必要がある。
【００１０】
前述したように、ＤＪがダンスミュージックを再生するディスコやダンスクラブでは、通常、スピーカから大音量の音楽が出力され、また、多くの聴衆が集まって歓声をあげることが多いため、ＤＪは複数の曲の拍のタイミングを合わせるために、ヘッドホン装置によって第１の曲と第２の曲の双方を聞いて再生装置のピッチコントロールを調整しようとする場合、スピーカから出力される大音量の音楽及び周囲の聴衆の歓声によって、ヘッドホン装置から出力される曲が聞き取り辛くなることがある。
【００１１】
このように、ＤＪは、スピーカから出力される大音量の音楽及び周囲の聴衆の歓声によってヘッドホン装置から出力される曲が聴き取り辛くなってしまうと、ヘッドホン装置のＬチャンネル側で聴取している曲とＲチャンネル側で聴取している曲の拍を正確に認識することができなくなり、それぞれの曲の拍を正確に合わせることができなくなってしまう。
【００１２】
本発明は、ＤＪ用再生システムにおいて、再生装置が再生しているオーディオ信号をヘッドホン装置によって聴取する場合、ヘッドホン装置から出力されるオーディオ信号が周囲の音によって聴き取り辛くなった場合でも、再生装置が再生しているオーディオ信号の拍を正確に把握することができるＤＪ用再生システムを提供することを目的とする。
【課題を解決するための手段】
【００１３】
本願の請求項１記載の発明は、複数のオーディオ信号をミキシングしたオーディオ信号を出力するミキシング装置と、当該ミキシング装置が出力したオーディオ信号を出力するヘッドホン装置を備えるＤＪ用再生システムにおいて、前記ミキシング装置は、オーディオ信号及び当該オーディオ信号における拍の位置となるタイミングで拍信号を出力し、前記ヘッドホン装置は、前記ミキシング装置から出力されたオーディオ信号を出力するドライバーユニットと、前記ミキシング装置から出力された拍信号を振動として出力する振動部を備えることを特徴とする。
【００１４】
本願の請求項２記載の発明は、請求項１記載のＤＪ用再生システムにおいて、前記ミキシング装置は、第１の再生装置及び第２の再生装置によって再生したオーディオ信号をミキシングし、前記第１の再生装置は、第１のオーディオ信号及び当該第１のオーディオ信号における拍の位置となるタイミングで第１の拍信号を出力し、前記第２の再生装置は、第２のオーディオ信号及び当該第２のオーディオ信号における拍の位置となるタイミングで第２の拍信号を出力し、前記ミキシング装置は、前記第１の再生装置から出力された第１のオーディオ信号及び第１の拍信号を出力すると共に前記第２の再生装置から出力された第２のオーディオ信号及び第２の拍信号を出力し、前記ヘッドホン装置は、前記ミキシング装置から出力された第１のオーディオ信号及び第２のオーディオ信号をそれぞれ出力するＬｃｈホーン部及びＲｃｈホーン部を備え、前記Ｌｃｈホーン部及び前記Ｒｃｈホーン部は、前記ミキシング装置から出力された第１の拍信号及び第２の拍信号をそれぞれ振動として出力する振動部を備えることを特徴とする。
【００１５】
本願の請求項３記載の発明は、請求項１または２記載のＤＪ用再生システムにおいて、前記Ｌｃｈホーン部及び前記Ｒｃｈホーン部は、それぞれフランジ及びヘッドパッドを備え、前記振動部は、前記フランジに固定されると共に先端部分が前記ヘッドパッド４の表面に近接するように配設されていることを特徴とする。
【００１６】
本願の請求項４記載の発明は、請求項１乃至３のいずれかに記載のＤＪ用再生システムにおいて、前記ヘッドホン装置は、前記振動部による振動の強さを調節可能な振動調節部を備えることを特徴とする。
【発明の効果】
【００１７】
本発明によれば、ＤＪ用再生システムにおいて、再生装置が再生しているオーディオ信号をヘッドホン装置によって聴取する場合、ヘッドホン装置から出力されるオーディオ信号が周囲の音によって聴き取り辛くなった場合でも、再生装置が再生しているオーディオ信号の拍を正確に把握することができるＤＪ用再生システムを提供することができる。
【図面の簡単な説明】
【００１８】
【図１】本発明の一実施例のＤＪ用再生システムを示すブロック図。
【図２】本実施例のヘッドホン装置４００を示す概略構成図。
【図３】本実施例のヘッドホン装置４００のＬｃｈホーン部１０を示す断面図。
【図４】本実施例のヘッドホン装置４００をユーザが装着した状態を示す図。
【発明を実施するための最良の形態】
【００１９】
本発明の実施の形態を図面を参照して説明する。なお、従来技術で示した構成要素と同一の部分については同符号を用いる。
【００２０】
図１は、本発明の一実施例のＤＪ用再生システムを示すブロック図である。
ＤＪ用再生システム１は、第１の再生装置１００、第２の再生装置２００、ミキシング装置３００及びヘッドホン装置４００のそれぞれの装置から構成される。
【００２１】
第１の再生装置１００は、操作部１００１、オーディオ信号出力部１００２、拍信号出力部１００３、再生部１００４及び制御部１００５を備える。
【００２２】
操作部１００１は、図示しない再生開始釦、再生停止釦及びピッチコントロール部等を備え、ユーザによる操作に応じて再生開始指示信号、再生停止指示信号及びピッチコントロール指示信号を出力する。制御部１００５は、操作部１００１からの指示信号に応じて再生部１００４による再生の開始、再生の停止及び再生するオーディオ信号のピッチコントロールをするよう再生部１００４を制御する。また、制御部１００５は、再生部１００４が再生するオーディオ信号から当該オーディオ信号の拍の位置を検出するよう再生部１００４を制御する。
【００２３】
再生部１００４は、制御部１００５の制御に基づいて、ＣＤに記録されているオーディオ信号を読み取り、読み取ったオーディオ信号をオーディオ信号出力部１００２に出力する。また、再生部１００４は、制御部１００５の制御に基づいて、ＣＤに記録されているオーディオ信号から当該オーディオ信号の拍の位置を検出し、オーディオ信号出力部１００２に出力するオーディオ信号における拍の位置となるタイミングで拍信号を拍信号出力部１００３に出力する。オーディオ信号出力部１００２は、再生部１００４から出力されたオーディオ信号をミキシング装置３００に出力する。拍信号出力部１００３は、再生部１００４から出力された拍信号をミキシング装置３００に出力する。
【００２４】
第２の再生装置２００は、操作部２００１、オーディオ信号出力部２００２、拍信号出力部２００３、再生部２００４及び制御部２００５を備える。第２の再生装置２００に備える操作部２００１、オーディオ信号出力部２００２、拍信号出力部２００３、再生部２００４及び制御部２００５は、それぞれ第１の再生装置１００の操作部１００１、オーディオ信号出力部１００２、拍信号出力部１００３、再生部１００４及び制御部１００５と同じ構成であるため、説明を省略する。
【００２５】
ミキシング装置３００は、第１のオーディオ信号入力部３００１、第２のオーディオ信号入力部３００２、操作部３００３、ミキシング部３００４、マスター出力部３００５、ヘッドホン出力部３００６、制御部３００７、第１の拍信号入力部３０１１及び第２の拍信号入力部３０１２を備える。
【００２６】
第１のオーディオ信号入力部３００１及び第１の拍信号入力部３０１１は、それぞれ第１の再生装置１００のオーディオ信号出力部１００２及び拍信号出力部１００３とケーブル等によって電気的に接続され、オーディオ信号出力部１００２及び拍信号出力部１００３からそれぞれ第１のオーディオ信号及び第１の拍信号を入力する。
【００２７】
第２のオーディオ信号入力部３００２及び第２の拍信号入力部３０１２は、それぞれ第２の再生装置２００のオーディオ信号出力部２００２及び拍信号出力部２００３とケーブル等によって電気的に接続され、オーディオ信号出力部２００２及び拍信号出力部２００３からそれぞれ第２のオーディオ信号及び第２の拍信号を入力する。
【００２８】
操作部３００３は、図示しない出力信号切換え部、フェーダ部を備え、ユーザの操作に応じて出力信号切換え指示信号、フェーダコントロール指示信号を出力する。制御部３００７は、操作部３００３からの指示信号に応じて、ミキシング部３００４によるオーディオ信号によるミキシングを制御する。
【００２９】
ミキシング部３００４は、第１のオーディオ信号入力部３００１及び第２のオーディオ信号入力部３００２からそれぞれ入力した第１のオーディオ信号及び第２のオーディオ信号をミックスしてマスター出力部３００５に出力する。また、ミキシング部３００４は、制御部３００７によるフェーダコントロールの制御に応じて、マスター出力部３００５に出力する第１のオーディオ信号と第２のオーディオ信号の音量の比率をコントロールする。
【００３０】
マスター出力部３００５は、ミキシング部３００４から出力されたオーディオ信号をＡＶアンプ装置に出力する。ＡＶアンプ装置は、マスター出力部３００５から出力されたオーディオ信号を増幅して図示しないスピーカ装置に出力する。スピーカ装置は、ＡＶアンプ装置が増幅したオーディオ信号を放音する。
【００３１】
ミキシング部３００４は、制御部３００７の制御に応じて、第１のオーディオ信号入力部３００１から入力した第１のオーディオ信号と第２のオーディオ信号入力部３００２から入力した第２のオーディオ信号の内、いずれかのオーディオ信号をＬチャンネルのオーディオ信号としてヘッドホン出力部３００６に出力し、他方のオーディオ信号をＲチャンネルのオーディオ信号としてヘッドホン出力部３００６に出力する。本実施例においては、ミキシング部３００４は、第１のオーディオ信号入力部３００１から入力した第１のオーディオ信号をＬチャンネルのオーディオ信号として出力し、また、第２のオーディオ信号入力部３００２から入力した第２のオーディオ信号をＲチャンネルのオーディオ信号として出力するものとする。
【００３２】
ミキシング部３００４は、第１の拍信号入力部３０１１及び第２の拍信号入力部３０１２が入力した第１の拍信号及び第２の拍信号を入力し、ヘッドホン出力部３００６に出力する。ミキシング部３００４は、第１の拍信号を第１のオーディオ信号と同じチャンネルの信号として出力し、第２の拍信号を第２のオーディオ信号と同じチャンネルの信号として出力する。本実施例においては、第１の拍信号をＬチャンネルの拍信号として出力し、第２の拍信号をＲチャンネルの拍信号として出力する。
【００３３】
ヘッドホン出力部３００６は、ミキシング部３００４から出力されたＬチャンネルのオーディオ信号とＲチャンネルのオーディオ信号をヘッドホン装置４００に出力する。また、ヘッドホン出力部３００６は、ミキシング部３００４から出力されたＬチャンネルの拍信号とＲチャンネルの拍信号をヘッドホン装置４００に出力する。
【００３４】
図２は、本実施例のヘッドホン装置４００を示す概略構成図である。
ヘッドホン装置４００は、ヘッドバンド部９、ケーブル６及び入力端子８を備える。入力端子８は、図１に示すミキシング装置３００のヘッドホン出力部３００６に接続される。
【００３５】
ヘッドバンド部９は、左右の端部にそれぞれＬｃｈホーン部１０及びＲｃｈホーン部１１を保持する。Ｌｃｈホーン部１０及びＲｃｈホーン部１１は、ヘッドバンド部９を中心として左右対称な構造を形成する。ケーブル６は、内部に後述するリード線を備え、Ｌｃｈホーン部１０及びＲｃｈホーン部１１に接続される。Ｌｃｈホーン部１０及びＲｃｈホーン部１１は、それぞれハウジング２及びヘッドパッド４を備える。
【００３６】
図３は、本実施例のヘッドホン装置４００のＬｃｈホーン部１０を示す断面図である。
Ｌｃｈホーン部１０は、前述したハウジング２及びヘッドパッド４の他に、フランジ３、基板５、ドライバーユニット７、振動部１５、信号処理部１６及びボス１７を備える。
図３に示すＬｃｈホーン部１０においては、左方向をヘッドホン装置４００の内側とし、上方をヘッドホン装置４００の上方とする。
【００３７】
本実施例においては、Ｌｃｈホーン部１０とＲｃｈホーン部１１は左右対称の構造であるものとし、Ｒｃｈホーン部１１の説明は省略する。
【００３８】
図３に示すように、ハウジング２は、内部が空洞で前方が開口した円筒型を形成し、後方に前後に貫通する孔２０１を備える。フランジ３は、中央部が窪んだ円盤型を形成し略中央に前後に貫通する孔３０１を備える。フランジ３は、後面の外周部分が接着剤等によりハウジング２の前端に固着される。
【００３９】
ヘッドパッド４は、軟性の高いゴム部材等の弾性体により中央が開口した円筒型に形成され、裏面がフランジ３の前方の外周部分に接着剤等により固着される。
【００４０】
ドライバーユニット７は、前方に図示しない振動板を備え、前面がフランジ３の後面の孔３０１の外周部分に接着剤等により固着される。このときドライバーユニット７は、フランジ３の孔３０１から露呈した状態となる。基板５は、板状を形成し、ドライバーユニット７の後方に配設される。基板５は、フランジ３の後面に図示しないネジ等によって固定されたボス１７に図示しないネジ等によって固定され、このことにより、フランジ３に保持された状態となる。ドライバーユニット７は、リード線７０１によって基板５に電気的に接続される。信号処理部１６は、基板５の後面に半田付け等により固定され、基板５と電気的に接続される。
【００４１】
ケーブル６は、一端がハウジング２の孔２０１を介してハウジング２の内部に挿入され、このハウジング２の内部で結び目６０１を形成する。ケーブル６は、この結び目６０１によってハウジング２の内部から下方に脱落しないように成されている。ハウジング２の内部で結び目６０１が形成されたケーブル６の一端からは、リード線６０２が突出した状態となる。リード線６０２は、基板５に電気的に接続される。
【００４２】
振動部１５は、フランジ３の上方部分に備える前後に貫通する孔３０２の内壁に接着剤等により固着され、先端部分がヘッドパッド４の内部に突出して当該ヘッドパッド４の表面に近接するように配設される。振動部１５は、リード線６０２によって基板５に電気的に接続される。
【００４３】
ヘッドホン装置４００は、図１に示すミキシング装置３００のヘッドホン出力部３００６から出力されるオーディオ信号を入力端子８によって入力する。図１に示すヘッドホン出力部３００６から出力されたＬチャンネルのオーディオ信号及びＬチャンネルの拍信号は、ケーブル６を介してＬｃｈホーン部１０の基板５に入力され、また、ヘッドホン出力部３００６から出力されたＲチャンネルのオーディオ信号及びＲチャンネルの拍信号は、ケーブル６を介してＲｃｈホーン部１１の基板５に入力される。
【００４４】
信号処理部１６は、基板５に入力されたＬチャンネルのオーディオ信号をリード線６０２を介してドライバーユニット７に出力する。ドライバーユニット７は、信号処理部１６から出力されたＬチャンネルのオーディオ信号を放音する。なお、図２に示すＲｃｈホーン部１１においては、Ｒｃｈホーン部１１のドライバーユニット７からＲチャンネルのオーディオ信号が放音される。
【００４５】
信号処理部１６は、基板５に入力されたＬチャンネルの拍信号をリード線６０２を介して振動部１５に出力する。振動部１５は、図示しない振動素子を備え、信号処理部１６から入力したＬチャンネルの拍信号が出力されると当該振動素子を振動させる。なお、図２に示すＲｃｈホーン部１１においては、Ｒｃｈホーン部１１の振動部１５が信号処理部１６からＲチャンネルの拍信号が出力されると振動素子を振動させる。
【００４６】
図４は、本実施例のヘッドホン装置４００をユーザが装着した状態を示す図である。
図４においては、左方向をユーザの右側とし、右側をユーザの左側とする。
【００４７】
ユーザ２０は、図４に示すように、ヘッドホン装置４００のＬｃｈホーン部１０を右耳２２に装着し、Ｒｃｈホーン部１１を左耳２１に装着した状態で、図１に示すミキシング装置３００のヘッドホン出力部３００６から出力されたＬチャンネルのオーディオ信号を左耳２１で聴取し、ヘッドホン出力部３００６から出力されたＲチャンネルのオーディオ信号を右耳２２で聴取する。このとき、Ｌｃｈホーン部１０のドライバーユニット７から放音されるＬチャンネルのオーディオ信号の拍のタイミングに同期してＬｃｈホーン部１０の振動部１５から振動が発生し、また、Ｒｃｈホーン部１１のドライバーユニット７から放音されるＲチャンネルのオーディオ信号の拍のタイミングに同期してＲｃｈホーン部１１の振動部１５から振動が発生する。
【００４８】
ユーザ２０は、Ｌｃｈホーン部１０の振動部１５から振動が発生すると、当該振動がヘッドパッド４を介して左耳２１の周囲に伝達することにより、Ｌｃｈホーン部１０の振動部１５から生じた振動を左の側頭部で体感し、また、Ｒｃｈホーン部１１の振動部１５から振動が発生すると、当該振動がヘッドパッド４を介して右耳２２の周囲に伝達することにより、Ｒｃｈホーン部１１の振動部１５から生じた振動を右の側頭部で体感する。
【００４９】
このため、ユーザ２０は、Ｌｃｈホーン部１０からＬチャンネルのオーディオ信号である第１のオーディオ信号を左耳２１で聴取し、Ｒｃｈホーン部１１からＲチャンネルのオーディオ信号である第２のオーディオ信号を右耳２２で聴取する場合、第１のオーディオ信号の拍を振動によって左の側頭部で体感し、第２のオーディオ信号の拍を振動によって右の側頭部で体感する。
【００５０】
このことにより、本実施例のＤＪ用再生システム１は、ユーザ２０がヘッドホン装置４００を装着し、例えば、第１の再生装置１００が再生している第１のオーディオ信号がヘッドホン装置４００のＬｃｈホーン部１０から出力され、第２の再生装置２００が再生している第２のオーディオ信号がヘッドホン装置４００のＲｃｈホーン部１１から出力されている場合に、スピーカから出力される大音量の音楽及び周囲の聴衆の歓声によって、Ｌｃｈホーン部１０及びＲｃｈホーン部１１から出力される第１のオーディオ信号及び第２のオーディオ信号が聴き取り辛くなってしまっても、ユーザ２０は、第１のオーディオ信号の拍をＬｃｈホーン部１０を装着した左の側頭部で把握し、第２のオーディオ信号の拍をＲｃｈホーン部１１を装着した右の側頭部で把握することができる。このため、Ｌｃｈホーン部１０及びＲｃｈホーン部１１から出力される第１のオーディオ信号及び第２のオーディオ信号が聴き取り辛くなった場合でも、ユーザ２０は、右の側頭部で把握する振動と左の側頭部で把握する振動が同じテンポとなるように、第１の再生装置１００及び第２の再生装置２００のそれぞれのピッチコントロールを操作することによって、第１のオーディオ信号と第２のオーディオ信号のテンポを容易に合わせることができる。
【００５１】
本実施例のＤＪ用再生システム１のヘッドホン装置４００は、Ｌｃｈホーン部１０及びＲｃｈホーン部１１にそれぞれ備える振動部１５が第１の拍信号及び第２の拍信号を入力したときに振動を発生させる構成としたが、振動部１５が発生させる振動の強さを調節可能な振動調節部を備える構成としても良い。この場合、例えば、ヘッドホン装置４００のＬｃｈホーン部１０及びＲｃｈホーン部１１のそれぞれのハウジング２の表面に回転可能なダイヤルを備え、当該ダイヤルを回転操作することによってそれぞれのホーン部に備える振動部１５の振動の強さが変化する構成とする。このことによって、ヘッドホン装置４００を装着したユーザ２０は、スピーカから出力される音楽及び周囲の聴衆の歓声の大きさに応じて振動部１５から拍のタイミングで発生される振動の強さを調節することができ、第１のオーディオ信号の拍及び第２のオーディオ信号の拍を更に正確に把握することができる。
【００５２】
本実施例のＤＪ用再生システム１は、振動部１５がヘッドホン装置４００のフランジ３に固着され、先端部分がヘッドパッド４の内部に突出して当該ヘッドパッド４の表面に近接するように配設される構成としたが、ユーザ２０がオーディオ信号の拍のタイミングを把握することができるのであれば、例えば、振動部１５をヘッドバンド部９の両側部分にそれぞれ備える構成としたり、また、ヘッドホン装置４００と異なる位置であって、ユーザ２０が振動を把握できる箇所に振動部１５を備える構成としても良い。
【００５３】
本実施例のＤＪ用再生システム１は、Ｌｃｈホーン部１０から第１のオーディオ信号及び第１のオーディオ信号に同期した拍を振動として発生し、Ｒｃｈホーン部１１から第２のオーディオ信号及び第２のオーディオ信号に同期した拍を振動として発生する構成としたが、ヘッドホン装置４００によって２つのオーディオ信号を聴き比べる必要がない場合は、Ｌｃｈホーン部１０またはＲｃｈホーン部１１のどちらか一方のホーン部のみからオーディオ信号及び振動を発生する構成としても良いし、また、Ｌｃｈホーン部１０及びＲｃｈホーン部１１から同じオーディオ信号及び振動を発生する構成としても良い。
【００５４】
本実施例のＤＪ用再生システム１は、第１の再生装置１００、第２の再生装置２００及ミキシング装置３００を備えるシステム構成としたが、これらの構成に限らず、例えば、再生装置の構成とミキシング装置の構成が１つの装置で構成されている一体型のＤＪ用装置を用いて、当該ＤＪ用装置からオーディオ信号と拍信号をヘッドホン装置に出力する構成としても良い。また、これらのＤＪ用装置に限らず、例えば、パーソナルコンピュータ（Personal Computer（ＰＣ））と専用のソフトウェアによって、ＤＪが行うパフォーマンスと同じようにオーディオデータをアレンジして再生を行うＰＣＤＪと言われるシステムを用いて、当該ＰＣＤＪからオーディオ信号と拍信号をヘッドホン装置に出力する構成としても良い。
【産業上の利用可能性】
【００５５】
本発明は、ディスクジョッキー等がヘッドホン装置を装着して再生装置及びミキシング装置を操作してオーディオ信号をミキシングするＤＪ用再生システムに有用に用いることができる。
【符号の説明】
【００５６】
１  ＤＪ用再生システム、
２  ハウジング、２０１  孔、
３  フランジ、３０１  孔、３０２  孔、４  ヘッドパッド、５  基板、
６  ケーブル、６０１  結び目、６０２  リード線、
７  ドライバーユニット、７０１  リード線、８  入力端子、
９  ヘッドバンド部、９０１  孔、
１０  Ｌｃｈホーン部、１１  Ｒｃｈホーン部、
１５  振動部、１６  信号処理部、１７  ボス、
２０  ユーザ、２１  左耳、２２  右耳
１００  第１の再生装置、
１００１  操作部、１００２  オーディオ信号出力部、
１００３  拍信号出力部、１００４  再生部、１００５  制御部、
２００  第２の再生装置、
２００１  操作部、２００２  オーディオ信号出力部、
２００３  拍信号出力部、２００４  再生部、２００５  制御部、
３００  ミキシング装置、
３００１  第１のオーディオ信号入力部、３００２  第２のオーディオ信号入力部、
３００３  操作部、３００４  ミキシング部、３００５  マスター出力部、
３００６  ヘッドホン出力部、３００７  制御部、
３０１１  第１の拍信号入力部、３０１２  第２の拍信号入力部、
４００  ヘッドホン装置
【図１】
2014068100.tif 000003
【図２】
2014068100.tif 000004
【図３】
2014068100.tif 000005
【図４】
2014068100.tif 000006